(57)【要約】      （修正有）【課題】本体と、爪車装置と、動力装置と、伝動装置を含む電動ソケットラチェットレンチを提供する。【解決手段】爪車装置は可動に本体１０に取り付けていて、かつソケットに連結できる爪車部材２１と、爪車部材２１に枢設するラチェットブロック組２２と、可動に爪車部材２１に装着する第１リングギヤ２３と、第２リングギヤ２４と、回転自在にて爪車部材２１に装着する可逆レバー２５を含む、動力装置はモータ３１を含む、伝動装置４０は伝動棒と、駆動ロッド４１と、傘歯車４２を含む、伝動棒の一端をモータ３１に連結していて、もう一端を傘歯車４２に装着され、傘歯車４２が選択により、第１リングギヤ２３と第２リングギヤ２４の遠位歯２４２に噛み合わせるかまたは引き離し、モータ３１が伝動棒を駆動することによって、爪車部材２１がソケットを駆動し回転させる。【選択図】図２
0003198345.tif 000002
【実用新案登録請求の範囲】
【請求項１】
本体と、爪車装置と、動力装置と、伝動装置と、を備えた電動ソケットラチェットレンチであって、
本体は第１端と、前記第１端と距離を置く第２端を含む、前記本体が前記第１端の付近側の内壁面に歯部を繞設、
爪車装置を前記本体に取り付けていて、かつ爪車部材と、前記爪車部材に枢設するラチェットブロック組と、回転自在にて前記爪車部材に装着する第１リングギヤと、第２リングギヤと、前記爪車部材に挿入する可逆レバーを含む、前記ラチェットブロック組を前記第１リングギヤと前記第２リングギヤとの間に設け、２つの主歯車ブロックと、一つの第１副歯車ブロックと、第２副歯車ブロックを含む、前記２つの主歯車ブロックを前記爪車部材に枢設していて、かつ前記２つの主歯車ブロックがそれぞれ選択により、前記本体の歯部と噛み合わせ、前記第１リングギヤと、前記第２リングギヤがそれぞれ前記爪車部材の時計方向または逆時計方向に対して回転され、前記第１リングギヤと、前記第２リングギヤはそれぞれに内歯部と互いに対向する遠位歯を含む、前記第１リングギヤの前記内歯部が選択により、前記第１副歯車ブロック噛み合わせ、前記第２リングギヤの前記内歯部が選択により、前記第２副歯車ブロックと噛み合わせ、前記可逆レバーが前記爪車部材に対して回転することによって、前記第１副歯車ブロックと、前記第２副歯車ブロックがそれぞれ選択により、前記第１リングギヤまたは前記第２リングギヤ噛み合わせと方向切り換え機能を形成し、前記爪車部材が前記第２リングギヤの付近端をソケットとの接続に用いられ、
前記動力装置を前記本体に収容していて、かつモータと、電源を含む、前記モータは心棒を有しており、前記電源と前記モータが電気導通することによって、前記心棒を回転させることができ、
前記伝動装置は駆動ロッドと、傘歯車と、第１弾性具を含む、前記駆動ロッドを回転自在にて前記本体に取り付けていて、かつ前記モータの前記心棒に接続されており、前記駆動ロッドが前記モータの反対端に伝動部を有しており、前記傘歯車は移動自在にて前記駆動ロッドの前記伝動部に嵌着し、選択により第１リングギヤと前記第２リングギヤの前記遠位歯に噛み合わせるかまたは引き離し、第１弾性具を前記駆動ロッドの伝動部に装着され、
前記傘歯車が前記第１リングギヤと、前記第２リングギヤの前記遠位歯と噛み合わせるときに、前記モータの前記心棒が前記駆動ロッドと前記傘歯車を駆動して回転させ、前記傘歯車がそれぞれ前記第１リングギヤと前記第２リングギヤを連動し前記爪車部材の時計方向または逆時計方向に対して回転すると共に、前記２つの主歯車ブロックと前記第１副歯車ブロックまたは前記第２副歯車ブロックそのうちのいずれかが前記爪車部材を駆動回転し、ソケットを駆動し回転させ、
前記ソケットを駆動するときに抵抗があまり大きい場合は、前記傘歯車が前記駆動ロッドの伝動部に対してスリップして、前記第１リングギヤと、前記第２リングギヤの前記遠位歯を引き離すと共に、弾性具を圧迫され、このときは手動で前記本体を回すことによって、前記傘歯車が前記駆動ロッドの前記伝動部に対して滑り移動し、再び前記第１リングギヤと前記第２リングギヤの前記遠位歯に噛み合わせてソケットを駆動することができることを特徴とする、電動ソケットラチェットレンチ。
【請求項２】
そのうち、前記本体は接続孔を含む、前記接続孔が第１軸線に沿って、第１接続区間と、第２接続区間と、第３接続区間と距離を確保され、前記第１接続区間が前記第１軸線の径方向に沿って第１内径を有し、前記第２接続区間が前記第１軸線の径方向に沿って第２内径を有し、前記第２内径が前記第１内径より小さい、前記第３接続区間の異なる両端が前記第１軸線に沿って、それぞれ前記第１接続区間と前記第２接続区間に連絡され、前記第３接続区間の内壁面と前記第１接続区間の内壁面との間に第１夾角を形成し、前記第１夾角が１２０度であり、
前記伝動装置の前記駆動ロッドが回転自在に前記接続孔に収容していて、かつ接続部と、肩部を含む、前記肩部の異なる両端が前記第１軸線に沿って、それぞれ前記伝動部と前記接続部に接続し、前記第１弾性具を前記肩部と前記傘歯車との間に当接し、前記接続部が前記第１軸線の径方向に沿って、第１外径を有し、前記肩部が前記第１軸線の径方向に沿って、第２外径を有し、前記第２外径が前記第１外径より小さい、前記接続部が前記肩部の付近端が前記肩部の前記外壁面との間に第２夾角を形成し、前記第２夾角が１２０度であることを特徴とする、請求項１記載の電動ソケットラチェットレンチ。
【請求項３】
前記伝動装置は第１鋼球組をさらに含む、前記第１鋼球組は複数の鋼球を含まれていて、かつ前記第１軸線の円周方向に沿って、前記接続孔の前記第３接続区間及び前記駆動ロッドの前記接続部と前記肩部との間に繞設することを特徴とする、請求項２記載の電動ソケットラチェットレンチ。
【請求項４】
そのうち、前記モータの前記心棒が前記第１軸線に沿って、第１軸区間と、前記第１軸区間に接続する第２軸区間と距離を確保され、前記第１軸区間が前記第１軸線の径方向に沿って、第１軸径を有し、かつ前記第１軸線に垂直する方向に沿って、円形の横断面を有し、前記第２軸区間が前記第１軸線の径方向に沿って、第２軸径を有し、かつ該前記第１軸線に垂直する方向に沿って、半円形の横断面を有し、前記第２軸径が前記第１軸径より小さい、
前記伝動装置は第１ワッシャと、第２弾性具と、第２ワッシャと、第２鋼球組を含む、前記第１ワッシャは前記心棒の前記第２軸区間に合わせた半円孔を有し、前記第２ワッシャ半円孔を有し、前記第１ワッシャと、前記第２弾性具と、前記第２ワッシャが順を追って、前記心棒の前記第２軸区間に装着され、前記第１ワッシャの一側を前記第１軸区間に当接し、前記第２弾性具が前記第１軸線の異なる両端に沿って、それぞれ前記第１ワッシャが前記第１軸区間と異なる側と、前記第２ワッシャが前記第２鋼球組と異なる側に当接され、
前記駆動ロッドは前記伝動部の反対端に端部を有し、前記端部の一端が前記第１軸線に沿って前記接続部に接続し、前記端部のもう一端が接続前記モータの前記心棒の前記第２軸区間に接続し、前記第２鋼球組は前記複数の鋼球を含む、かつ前記第１軸線の円周方向に沿って、前記駆動ロッドの前記端部と前記接続部及び、前記第２ワッシャと前記接続孔の前記第１接続区間の前記内壁面との間に繞設することを特徴とする、請求項３記載の電動ソケットラチェットレンチ。
【請求項５】
前記第１弾性具と前記第２弾性具はコイルばねであり、かつ前記第２弾性具の剛性係数が前記第１弾性具の剛性係数より大きいことを特徴とする、請求項４記載の電動ソケットラチェットレンチ。
【請求項６】
そのうち、前記本体はヘッド部と、使用者の握りに用いるグリップ部と、延在部を含む、前記ヘッド部が前記第１端の付近部に位置し、前記グリップ部が前記第２端の付近部に位置し、前記延在部が前記第１軸線と異なる両端に沿って、それぞれ前記ヘッド部と前記グリップ部に接続し、間欠運動孔と、伝動溝を前記ヘッド部に形成し、前記間欠運動孔の内壁面に前記歯部を形成していて、かつ前記伝動溝に連絡され、収容溝を前記グリップ部に形成していて、かつ、前記動力装置を収容し、前記接続孔を前記延在部に形成し、前記延在部が前記第１軸線方向に垂直する方向に沿って、矩形横断面を有しており、前記矩形横断面を設けることによって、フラットハンドルの構造を実現し、径方向に力を加わる場合は、フラットハンドルが一般の公知レンチの丸ハンドル構造より強いことを特徴とする、請求項２ないし５のいずれかに記載の電動ソケットラチェットレンチ。
【請求項７】
そのうち、前記伝動溝は前記ヘッド部に形成される三日月溝であり、前記伝動溝の異なる両端が前記第１軸線に垂直する方向に沿って、密閉状を形成することを特徴とする、請求項６に記載の電動ソケットラチェットレンチ。
【請求項８】
前記本体は、前記つかみ部が前記第１軸線の径方向に沿って、とおり孔を設け、前記とおり孔と、前記収容溝が連絡され、前記動力装置は制御ボタンを有し、前記制御ボタンを前記本体の前記とおり孔に設けていて、かつ前記モータと電気導通することによって、前記モータを制御することを特徴とする、請求項６に記載の電動ソケットラチェットレンチ。
【請求項９】
そのうち、前記モータは一方向モータであり、前記心棒を前記第１軸線に沿って回転し、前記爪車装置が前記第１軸線に垂直する第２軸線に沿って回転自在に前記本体に設け、前記第１リングギヤと前記第１副歯車ブロックが前記第２軸線に沿って、同じ水平位置に位置していて、かつ前記第２軸線に沿って、前記爪車部材に対して時計方向または逆時計方向に回転することができ、前記２つの主歯車ブロックが前記第２軸線に沿って、同じ水平位置に位置し、前記第２リングギヤと前記第２副歯車ブロックが前記第２軸線に沿って同じ水平位置に位置し、前記第１副歯車ブロックと前記第２副歯車ブロックが前記第２軸線の径方向に沿って、前記爪車部材の反対の両側に設けていて、かつ前記第２軸線が異なる水平位置に位置することを特徴とする、請求項２ないし５のいずれかに記載の電動ソケットラチェットレンチ。
【請求項１０】
そのうち、前記可逆レバーに貫通孔と、第１収容孔と、第２収容孔を含む、前記貫通孔が前記第２軸線の径方向の異なる両側に沿って、前記可逆レバーを貫き、前記第１収容孔と前記第２収容孔をそれぞれ前記可逆レバーが前記第２軸線の径方向の異なる両側に沿って位置し、前記爪車装置は主係止組と、第１係止組と、第２係止組を含む、前記主係止組を前記可逆レバーの前記貫通孔に設けていて、かつ２つの係止具と、一つの弾性具を含む、前記主係止組に備える前記２つの係止具をそれぞれ前記ラチェットブロック組に備える２つの主歯車ブロックに係止し、前記主係止組の前記弾性具を前記該主係止組に備える前記２つの係止具との間に当接し、前記第１係止組を前記可逆レバーの前記第１収容孔に設けていて、かつ係止具と、弾性具を含む、前記第１係止組の前記係止具の一端を前記ラチェットブロック組の前記第１副歯車ブロックに係止し、前記第１係止組の前記係止具のもう一端を前記第１係止組の弾性具に係止し、前記第２係止組を前記可逆レバーの第２収容孔に設けていて、かつ前記係止具と前記弾性具を含む、前記第２係止組の前記係止具の一端を前記ラチェットブロック組の前記第２副歯車ブロックに係止し、前記第２係止組の前記係止具のもう一端を前記第２係止組の前記弾性具に係止することを特徴とする、請求項９に記載の電動ソケットラチェットレンチ。
【考案の詳細な説明】
【技術分野】
【０００１】
本考案はラチェットレンチに関し、特に電動ソケットラチェットレンチに関する。
【背景技術】
【０００２】
米国特許第８８００４１０号Ｒａｔｃｈｅｔ  ｗｒｅｎｃｈ  ｗｉｔｈ  ｄｉｒｅｃｔｉｏｎ  ｓｗｉｔｃｈｉｎｇ  ｓｔｒｕｃｔｕｒｅ（特許文献１）は、方向切り換え構造を有するラチェットレンチであって、可逆ラチェットレンチはレンチ本体（ｗｒｅｎｃｈ  ｂｏｄｙ）と、爪車（ｒａｔｃｈｅｔ  ｗｈｅｅｌ）と、爪車部材（ｒａｔｃｈｅｔｉｎｇ  ｍｅｍｂｅｒ）と、切り換え駒（ｓｗｉｔｃｈｉｎｇ  ｍｅｍｂｅｒ）を含む。爪車を回転自在にてレンチ本体に取り付けて、ソケットに接続することができ、爪車部材をレンチ本体に取付けて、選択により左半分（ｌｅｆｔ  ｈａｌｆ  ｐｏｒｔｉｏｎ）または右半分（ｒｉｇｈｔ  ｈａｌｆ  ｐｏｒｔｉｏｎ）を爪車に係止することによって、爪車の回転方向を切り換えて、切り換え駒をレンチ本体に枢設させると共に爪車部材に当接させる。
【先行技術文献】
【特許文献】
【０００３】
【特許文献１】米国特許第８８００４１０号
【考案の概要】
【考案が解決しようとする課題】
【０００４】
しかし、使用者がレンチ本体を握って左右に往復揺動しなければ、爪車を一方向に回転させて、ソケットを駆動することができない。さらに、建築現場の環境において、常に長いスクリューの締め付け場面を見かけられる。公知の手動レンチを用いてナットを往復に回すことは、時間が長く掛かる。さらに、建築現場の環境は室外にいることが多く、長いスクリューがさび付く場合があるため、使用者がレンチを回すため、力を強く加えなければなりません。よって、公知の手動レンチは使用者にとって、時間と力が掛かる作業である。
【課題を解決するための手段】
【０００５】
前述欠点について、考案者は前述公知構造すべての欠点をすべて克服できる電動ソケットラチェットレンチを思料した次第である。
【０００６】
本考案の主な目的は、電気駆動のソケットラチェットレンチを提供し、主に本体と、爪車装置と、動力装置と、伝動装置を含む、電動ソケットラチェットレンチを提供する。
【０００７】
本体は第１端と第１端と距離を置く第２端を含む。本体が第１端の付近側の内壁面に歯部を繞設されている。
【０００８】
爪車装置を本体に取り付けていて、かつ爪車部材と、爪車部材に枢設するラチェットブロック組と、回転自在にて爪車部材に装着する第１リングギヤと、第２リングギヤと、爪車部材に挿入する可逆レバーを含む。ラチェットブロック組を第１リングギヤと第２リングギヤとの間に設け、２つの主歯車ブロックと、一つの第１副歯車ブロックと、第２副歯車ブロックを含む。２つの主歯車ブロックを爪車部材に枢設していて、かつ２つの主歯車ブロックがそれぞれ選択により、本体の歯部と噛み合わせて、第１リングギヤと、第２リングギヤはそれぞれ爪車部材の時計方向または逆時計方向に対して回転される。第１リングギヤと、第２リングギヤはそれぞれ内歯部と互いに対向する遠位歯を含む、第１リングギヤの内歯部が選択により、第１副歯車ブロック噛み合わせ、第２リングギヤの内歯部が選択により、第２副歯車ブロックと噛み合わせ、可逆レバーが爪車部材に対して回転することによって、第１副歯車ブロックと、第２副歯車ブロックがそれぞれ選択により、第１リングギヤまたは第２リングギヤ噛み合わせと方向切り換え機能を形成し、爪車部材が第２リングギヤの付近端をソケットとの接続に用いられる。
【０００９】
動力装置を本体に収容していて、かつモータと、電源を含む。モータは心棒を有し、電源とモータが電気導通することによって、心棒を回転させることができる。
【００１０】
伝動装置は駆動ロッドと、傘歯車と、第１弾性具を含む。駆動ロッドを回転自在にて本体に取り付けていて、かつモータの心棒に接続されており、駆動ロッドがモータの反対端に伝動部を有しており、傘歯車を移動自在にて駆動ロッドの伝動部に嵌着し、選択により第１リングギヤと第２リングギヤの遠位歯に噛み合わせるかまたは引き離し、第１弾性具を駆動ロッドの伝動部に装着されている。
【００１１】
傘歯車が第１リングギヤと、第２リングギヤの遠位歯と噛み合わせるときに、モータの心棒が駆動ロッドと傘歯車を駆動して回転させ、傘歯車がそれぞれ第１リングギヤと第２リングギヤを連動し、爪車部材の時計方向または逆時計方向に対して回転すると共に、２つの主歯車ブロックと第１副歯車ブロックまたは第２副歯車ブロックのいずれかが爪車部材を駆動回転し、ソケットを駆動し回転させる。
【００１２】
ソケットを駆動するときに抵抗があまり大きい場合は、傘歯車が駆動ロッドの伝動部に対してスリップして、第１リングギヤと、第２リングギヤの遠位歯を引き離すと共に、弾性具を圧迫され、このときは手動で本体を回すことによって、傘歯車が駆動ロッドの伝動部に対して滑り移動し、再び第１リングギヤと第２リングギヤの遠位歯に噛み合わせてソケットを駆動することができる。
【００１３】
その他の目的、長所および本考案の新規性は以下の詳細説明と関連図面によって、より明確することができる。
【考案の効果】
【００１４】
以下の説明から、本考案の動ソケットラチェットレンチは、以下の長所をまとめることができる。
【００１５】
１．本考案の電動ソケットラチェットレンチの傘歯車４２が第１リングギヤ２３と、第２リングギヤ２４の遠位歯２３２、２４２に噛み合わせて、モータ３１の心棒３１１が駆動ロッド４１と、傘歯車４２を駆動して、第１軸線Ｌ１に沿って回転し、傘歯車４２がそれぞれ第１リングギヤ２３と、第２リングギヤ２４を駆動して、第2軸線L2に沿って、爪車部材21の時計方向または逆時計方向に対して回転すると共に、２つの主歯車ブロック２２１と、第１副歯車ブロック２２２または第２副歯車ブロック２２３のうちのいずれかと合わせて、爪車部材２１を第２軸線Ｌ２に沿って回転することによって、爪車部材２１がソケットを駆動し回転させる。これにより、握り部１６を移動することなく、モータ３１の心棒３１１が第１軸線Ｌ１に沿って回転する態様を爪車部材２１が第２軸線Ｌ２に沿って回転する関係に改変して、時間と手間を軽減する効果を達成できる。
【００１６】
２．本考案の電動ソケットラチェットレンチの延在部１７が第１軸線Ｌ１に垂直する方向に沿って矩形横断面を有し、矩形横断面の設置によって、本考案の電動ソケットラチェットレンチにフラットハンドルの構造をもたせる。径方向に力を加えるときに、フラットハンドルが一般の公知レンチの丸ハンドル構造より強いため、本考案の電動ソケットラチェットレンチは構造強度が強い長所を有する。
【００１７】
３．本考案の電動ソケットラチェットレンチがソケットを駆動するときに、例えばソケットに接続していたナットにさびが付いていて、過大な抵抗力を発生したとき、爪車部材２１が過大な抵抗力により、ソケットを回転させることはできない。傘歯車４２が第１軸線Ｌ１に沿って、駆動ロッド４１の伝動部４１１にスリップして、第１リングギヤ２３と、第２リングギヤ２４の遠位歯２３２、２４２から抜け出すと同時に、第１弾性具４３が圧迫されたときに、使用者が握り部１６を手動で本体１０の第２端１０２を回して、傘歯車４２を第２軸線Ｌ２に沿って、駆動ロッドの伝動部４１１に滑り移動させて、第１リングギヤ２３と第２リングギヤ２４の遠位歯２３２、２４２と再び噛み合わせてソケットに回転を強制し、使用者が手動でソケットの過大な抵抗力の区域を乗り越えた後に、傘歯車４２を噛み合わせ状態に戻すと同時に、第１リングギヤ２３と、第２リングギヤ２４を駆動して、爪車部材２１を第２軸線Ｌ２に沿って回転させ、ソケットの回転を連動し、機械的でソケットレンチを駆動するときに、ソケットが克服しきれない過大な抵抗力の問題を解決できる。
【図面の簡単な説明】
【００１８】
【図１】本考案の電動ソケットラチェットレンチによる立体外観図である。
【図２】本考案の電動ソケットラチェットレンチによる立体分解図である。
【図３】本考案の電動ソケットラチェットレンチによる断面図である。
【図４】本考案の図３の局所拡大図であり、傘歯車を第１ギヤリングと第２ギヤリングに噛み合わせた態様を示す。
【図５】図４破線箇所の局所拡大図であり、第１鋼球組が接続孔以及駆動ロッドとの間に位置されている態様を示す。
【図６】図３のもう一つの局所拡大図であり、駆動ロッドの一端をモータに接続されている態様を示す。
【図７】図４の７−７断面線に沿って切断した断面図である。
【図８】図４の８−８断面線に沿って切断した断面図である。
【図９】図４の９−９断面線に沿って切断した断面図である。
【図１０】図７の引き続きであり、傘歯車が第２ギヤリングを駆動して回転する態様を示す。
【図１１】図８の引き続きであり、第１リングギヤの回転によって、爪車部材を駆動して回転する態様を示す。
【図１２】図９の引き続きであり、傘歯車が第２リングギヤを駆動して、爪車部材を回転させる態様を示す。
【図１３】図４の引き続きであり、傘歯車が第１リングギヤと第２リングギヤを引き離した態様を示す。
【図１４】図１０の引き続きであり、傘歯車が第１リングギヤと第２リングギヤを引き離した態様を示す。
【考案を実施するための形態】
【００１９】
本考案による技術、手段ならびに効果は、好ましい実施例と図式を合わせて、以下の通り説明する。ただし、これらは説明を目的とし、本考案の請求範囲にはこれらの構造に制限されない。
【実施例】
【００２０】
図１ないし６、考案の電動ソケットラチェットレンチの立体外観図と、立体分解図と、断面図を参照する。考案の電動ソケットラチェットレンチは本体１０と、爪車装置２０と、動力装置３０と、伝動装置４０１を含む。
【００２１】
本体１０は第１端１０１と、第１軸線Ｌ１に沿って第１端１０１と距離を置く第２端１０２を有し、本体１０は間欠運動孔１１と、収容溝１２と、接続孔１３と、伝動溝１４を含む。間欠運動孔１１が第１端１０１の付近場所に位置していて、かつ間欠運動孔１１が収容溝１２の遠端側の内壁面に歯部１１１を繞設され、収容溝１２が第２端１０２の付近場所に位置していて、かつ接続孔１３に連絡されており、接続孔１３が収容溝１２の反対側に伝動溝１４を連絡し、伝動溝１４が接続孔１３の反対側に間欠運動孔１１を連絡する。
【００２２】
本体１０の接続孔１３が第１軸線Ｌ１に沿って、第１接続区間１３１と、第２接続区間１３２と、第３接続区間１３３と距離を確保され、第１接続区間１３１は第１軸線Ｌ１の径方向に沿って第１内径Ｄ１を有し、第２接続区間１３２は第１軸線Ｌ１の径方向に沿って、第２内径Ｄ２を有する。第２内径Ｄ２が第１内径Ｄ１より小さく、第３接続区間１３３の異なる両端が第１軸線Ｌ１に沿って、それぞれ第１接続区間１３１と、第２接続区間１３２に連絡し、第３接続区間１３３の内壁面が第１接続区間１３１の内壁面との間に、第１夾角αを形成し、第１夾角αは１２０度がより好ましい。これにより、本体１０の接続孔１３を加工するときに、製造者はまず第１内径Ｄ１と同じ外径のドリルを用いて第１接続区間１３１を加工した上、引き続き外径が第２内径Ｄ２と同じ外径のドリルを用いて第２接続区間１３２を加工して、伝動溝１４に連絡させる。さらに、第１内径Ｄ１と同じ外径のドリルの刃先を用いて加工した後に第３接続区間１３３の内壁面を第１接続区間１３１の内壁面との間に１２０度の第１夾角αを形成させ、これにより、高速加工の効果を達成し、製造コストを軽減できる。
【００２３】
本体１０はヘッド部１５と、使用者の把持に用いる握り部１６と、延在部１７を含む。ヘッド部１５が第１端１０１の付近場所に位置し、握り部１６が第２端１０２の付近場所に位置する。延在部１７が第１軸線Ｌ１の異なる両端に沿って、それぞれヘッド部１５と握り部１６の付近場所に位置する。本実施例において、延在部１７は摩擦圧接によって、それぞれヘッド部１５と握り部１６にそれぞれ接続されている。
【００２４】
間欠運動孔１１と伝動溝１４をヘッド部１５に形成し、収容溝１２を握り部１６に形成し、接続孔１３を延在部１７に形成し、延在部１７が第１軸線Ｌ１の垂直方向に沿って、矩形横断面を形成し、矩形横断面を設置することによって、本考案の電動ソケットラチェットレンチにフラットハンドル構造が形成される。力を加わる場合は、フラットハンドルの径方向が一般の公知レンチの丸ハンドルに比べてより強い構造を有するため、本考案の電動ソケットラチェットレンチは構造強度が強い長所を有する。
【００２５】
伝動溝１４が三日月溝をヘッド部１５に形成していて、伝動溝１４の異なる両端が第１軸線Ｌ１に垂直する方向に沿って、密閉状を形成することがより好ましい。
【００２６】
本体１０をつかみ部１６が第１軸線Ｌ１の径方向に沿って、とおり孔１８を設けられ、とおり孔１８と収容溝１２が連絡されている。
【００２７】
図７ないし９を合わせて参照する。爪車装置２０を第１軸線Ｌ１に垂直する第２軸線Ｌ２に沿って、回転自在にて本体１０の間欠運動孔１１に設けていて、かつ爪車部材２１と、爪車部材２１に枢設されるラチェットブロック組２２と、回転自在に爪車部材２１に装着される第１リングギヤ２３と、第２リングギヤ２４と、第２軸線Ｌ２に沿って回転自在に爪車部材２１に挿入される可逆レバー２５を含む。爪車部材２１は第２リングギヤ２４の付近端にソケットを接続することができる（図示しない）。
【００２８】
ラチェットブロック組２２を第１リングギヤ２３と、第２リングギヤ２４との間に取り付けていて、かつ２つの主歯車ブロック２２１と、一つの第１副歯車ブロック２２２と、第２副歯車ブロック２２３を含む。２つの主歯車ブロック２２１を爪車部材２１に枢設していて、かつ２つの主歯車ブロック２２１がそれぞれ選択により、本体１０の歯部１１１と噛み合わせる。２つの主歯車ブロック２２１のうちのいずれかが第１副歯車ブロック２２２と合わせて、第２軸線Ｌ２と平行する方向に沿って、同軸にて爪車部材２１に枢設し、もう一つの主歯車ブロック２２１と第２副歯車ブロック２２３を第２軸線Ｌ２と平行する方向に沿って、同軸に爪車部材２１に枢設されることがより好ましい。
【００２９】
第１リングギヤ２３と、第１副歯車ブロック２２２が第２軸線Ｌ２に沿って同じ水平位置に位置し、２つの主歯車ブロック２２１が第２軸線Ｌ２に沿って同じ水平位置に位置し、第２リングギヤ２４と、第２副歯車ブロック２２３が第２軸線Ｌ２に沿って同じ水平位置に位置する。第１副歯車ブロック２２２と、第２副歯車ブロック２２３が第２軸線Ｌ２の径方向に沿って、爪車部材２１の異なる両側に設けていて、かつ第２軸線Ｌ２に沿って異なる水平位置に位置する。
【００３０】
第１リングギヤ２３と、第２リングギヤ２４がそれぞれに第２軸線Ｌ２に沿って、爪車部材２１の時計方向または逆時計方向に対して回転でき、第１リングギヤ２３と、第２リングギヤ２４はそれぞれに内歯部２３１、２４１と、互いに対向する遠位歯２３２、２４２を有する。第１リングギヤ２３の内歯部２３１は選択により、第１副歯車ブロック２２２と噛み合わせられ、第２リングギヤ２４の内歯部２４１は選択により、第２副歯車ブロック２２３と噛み合わせる。
【００３１】
可逆レバー２５が第２軸線Ｌ２に沿って爪車部材２１に対して回転することによって、第１副歯車ブロック２２２と、第２副歯車ブロック２２３をそれぞれ選択により第１リングギヤ２３または第２リングギヤ２４と噛み合わせて、一方向切り換えの機能を達成する。可逆レバー２５は貫通孔２５１と、第１収容孔２５２と、第２収容孔２５３を含む。貫通孔２５１は可逆レバー２５が第２軸線Ｌ２の径方向と異なる両側に沿って貫き、第１収容孔２５２と第２収容孔２５３がそれぞれ可逆レバー２５を第２軸線Ｌ２の径方向と異なる両側に沿って位置し、可逆レバー２５を貫通していない。爪車装置２０は主係止組２６と、第１係止組２７と、第２係止組２８を含む。主係止組２６を可逆レバー２５の貫通孔２５１に設け、２の係止具２６１と一つの弾性具２６２を含む。主係止組２６に備える２の係止具２６１をそれぞれラチェットブロック組２２の２つの主歯車ブロック２２１に係止し、主係止組２６の弾性具２６２を主係止組２６の２つの係止具２６１の間に当接し、第１係止組２７を可逆レバー２５の第１収容孔２５２に取り付けていて、かつ係止具２７１と、弾性具２７２を含む。第１係止組２７の係止具２７１の一端をラチェットブロック組２２の第１副歯車ブロック２２２に係止し、第１係止組２７の係止具２７１のもう一端を第１係止組２７の弾性具２７２に係止し、第２係止組２８を可逆レバー２５の第２収容孔２５３に設けていて、かつ係止具２８１と、弾性具２８２を含む。第２係止組２８の係止具２８１の一端をラチェットブロック組２２の第２副歯車ブロック２２３に係止し、第２係止組２８の係止具２８１のもう一端を第２係止組２８の弾性具２８２に係止する。これにより、使用者が第２軸線Ｌ２に沿って可逆レバー２５を回すことによって、主係止組２６の２つの係止具２６１を２つの主歯車ブロック２２１の方向に係止し、第１係止組２７の係止具２７１を第１副歯車ブロック２２２の方向に係止し、第２係止組２８の係止具２８１を第２副歯車ブロック２２３の方向に係止して、方向切り換え機能を達成する。
【００３２】
動力装置３０を本体１０の収容溝１２に収容していて、かつモータ３１と、電源３２を含む。本実施例において、モータ３１は一方向モータであり、収容溝１２に固設していて自由に移動することはできない。電源３２は電池であり、モータ３１は心棒３１１を有する。電源３２と、モータ３１が電気導通され、かつモータ３１に動力源を提供することによって、心棒３１１を第１軸線Ｌ１に沿って回転し、モータ３１の心棒３１１が第１軸線Ｌ１に沿って、第１軸区間３１１１と、第１軸区間３１１１に接続する第２軸区間３１１２と距離を確保され、第１軸区間３１１１が第１軸線Ｌ１の径方向に沿って第１軸径Ａ１を有しており、かつ第１軸線Ｌ１に垂直する方向に円形の横断面を有し、第２軸区間３１１２が第１軸線Ｌ１の径方向に沿って第２軸径Ａ２を有し、かつ第１軸線Ｌ１に垂直する方向に半円形の横断面を有し、第２軸径Ａ２が第１軸径Ａ１より小さい。動力装置３０は制御ボタン３３を含む。制御ボタン３３を本体１０のとおり孔１８に取り付けていて、かつモータ３１と電気導通することによって、モータ３１を起動するか否かを制御できる。
【００３３】
伝動装置４０は駆動ロッド４１と、傘歯車４２と、第１弾性具４３を含む。駆動ロッド４１は第１軸線Ｌ１に沿って回転可能に本体１０の接続孔１３に設けていて、かつモータ３１の心棒３１１に接続され、駆動ロッド４１がモータ３１の反対端に伝動部４１１を有し、伝動部４１１は第１軸線Ｌ１に垂直する方向に沿って、矩形横断面を有する。傘歯車４２を収容伝動溝１４に収容していて、かつ第１軸線Ｌ１に沿って移動可能に駆動ロッド４１の伝動部４１１に嵌着し、選択によって第１リングギヤ２３と、第２リングギヤ２４の遠位歯２３２、２４２に噛み合わせるかまたは引き離し、第１弾性具４３を駆動ロッドの伝動部４１１に装着し、選択によって傘歯車４２の圧迫を受ける。
【００３４】
伝動装置４０の駆動ロッド４１は、接続部４１２と、肩部４１３をさらに含む。肩部４１３の異なる両端が第１軸線Ｌ１に沿って、それぞれ伝動部４１１と、接続部４１２に接続し、第１弾性具４３を肩部４１３と、傘歯車４２との間に当接し、接続部４１２が第１軸線Ｌ１の径方向に沿って、第１外径Ｈ１を有し、肩部４１３が第１軸線Ｌ１の径方向に沿って、第２外径Ｈ２を有する。第２外径Ｈ２が第１外径Ｈ１より小さい。接続部４１２が肩部４１３付近の端面と肩部４１３の外壁面との間に第２夾角βを形成する。第２夾角βが１２０度を形成することが、より好ましい。
【００３５】
伝動装置４０は第１鋼球組４４と、第１ワッシャ４５と、第２弾性具４６と、第２ワッシャ４７と、第２鋼球組４８を含む。第１鋼球組４４は複数の鋼球４４１を有し、かつ第１軸線Ｌ１の円周方向に沿って、接続孔１３の第３接続区間１３３及び駆動ロッド４１の接続部４１２と肩部４１３との間に繞設する。第１ワッシャ４５が半円孔を有し、かつ心棒３１１の第２軸区間３１１２と互いに合わせられ、第２ワッシャ４７が円孔を有する。第１ワッシャ４５と、第２弾性具４６と、第２ワッシャ４７が順を追って、心棒３１１の第２軸区間３１１２に装着され、第１ワッシャ４５の一側を第１軸区間３１１１に当接することによって、第１ワッシャ４５を心棒３１１の第１軸区間３１１１に滑り移動はできない。第２弾性具４６が第１軸線Ｌ１の異なる両端に沿って、それぞれ第１ワッシャ４５が第１軸区間３１１１の反対側と、第２ワッシャ４７が第２鋼球組４８の反対側に当接する。第１弾性具４３と、第２弾性具４６はコイルばねであり、かつ第２弾性具４６の剛性係数が第１弾性具４３の剛性係数より大きいことがより好ましい。駆動ロッド４１が伝動部４１１の反対端に端部４１４を有し、端部４１４の一端が第１軸線Ｌ１に沿って接続部４１２に接続し、端部４１４のもう一端をモータ３１の心棒３１１の第２軸区間３１１２に接続する。第２鋼球組４８は複数の鋼球４８１を含む、第１軸線Ｌ１の円周方向に沿って駆動ロッド４１の端部４１４と接続部４１２、及び第２ワッシャ４７と接続孔１３の第１接続区間１３１に備える内壁面との間に繞設する。
【００３６】
図１０ないし１２を参照する。傘歯車４２が第１リングギヤ２３と、第２リングギヤ２４の遠位歯２３２、２４２を噛み合わせられ、モータ３１の心棒３１１が駆動ロッド４１と、傘歯車４２を駆動して、第１軸線Ｌ１に沿って回転し、傘歯車４２がそれぞれ第１リングギヤ２３と、第２リングギヤ２４を駆動して、第２軸線Ｌ２が爪車部材２１の時計方向または逆時計方向に対して回転すると共に、２つの主歯車ブロック２２１と、第１副歯車ブロック２２２または第２副歯車ブロック２２３そのうちのいずれかと合わせて、爪車部材２１を第２軸線Ｌ２に沿って回転することによって、爪車部材２１がソケットを駆動し回転させる。これにより、本考案の電動ソケットラチェットレンチは握り部１６を移動させることなく、モータ３１の心棒３１１を第１軸線Ｌ１に沿って回転することを爪車部材２１が第２軸線Ｌ２に沿って回転する関係に変更することができる。
【００３７】
引き続き、図１３と図１４を参照する。モータ３１が回転して、ソケットを駆動するときに、一例として建築現場の長いスクリューのさび問題によって、ナットを連動させるときに過大な抵抗力を発生し、ナットが長いスクリューのさびついた場所に噛み付き、抵抗力が大きすぎて回すことができない。モータ３１のトルクでは駆動ロッド４１を駆動し爪車部材２１を連動するに負えない、爪車部材２１がソケットを回すことができない。傘歯車４２が第１軸線Ｌ１に沿って、駆動ロッド４１の伝動部４１１に対してスリップを発生し、第１リングギヤ２３と、第２リングギヤ２４の遠位歯２３２、２４２から離脱すると共に、第１弾性具４３を圧迫してしまう。このときには、第２弾性具４６が第２ワッシャ４７と、駆動ロッド４１を押し込んでいるため、傘歯車４２はなお第１リングギヤ２３と、第２リングギヤ２４に当接し、歯から抜け出して噛み合わせていない事態を発生する。このとき、モータ３１が引き続きに回転されるため、使用者には傘歯車４２と第１リングギヤ２３と、第２リングギヤ２４との間の歯がスリップして噛み合わせていないことから、パタパタな金属異音に気づいたときは、使用者が握り部１６を握り、手動方式により本体１０の第２端１０２を回し手で力を加えて、傘歯車４２を第２軸線Ｌ２に沿って、駆動ロッドの伝動部４１１に滑り移動を強制した後に、第１リングギヤ２３と、第２リングギヤ２４の遠位歯２３２、２４２を再び噛み合わせることによって、ソケットを連動して、例えばさびがついた場所でナットを抵抗力の大きい区域を乗り越える。使用者が手動でソケットを抵抗力の大きい区域を通過させた後に傘歯車４２を噛み合わせ状態に戻すと同時に、第１リングギヤ２３と、第２リングギヤ２４を駆動し、爪車部材２１を第２軸線Ｌ２に沿って回転させてソケットの回転を駆動する。これにより、機械的でソケットレンチを駆動したときに、ソケットが過大な抵抗力を克服できない問題が解決される。
【００３８】
以上に説明したものは、本考案の好ましい実施例であり、本考案実施の範疇に制限を加えるものではなく、よって、本考案に基づいた数値的な変更又は等効果を有する要素の置き換え、若しくは本考案の実用新案登録請求の範囲による同等変更又は修整とも本考案の考案範疇に含まれる。
【符号の説明】
【００３９】
１０        本体
１０１      第１端
１０２      第２端
１１        間欠運動孔
１１１      歯部
１２        収容溝
１３        接続孔
１３１      第１接続区間
１３２      第２接続区間
１３３      第３接続区間
１４        伝動溝
１５        ヘッド部
１６        握り部
１７        延在部
１８        とおり孔
２０        爪車装置
２１        爪車部材
２２        ラチェットブロック組
２２１      主歯車ブロック
２２２      第１副歯車ブロック
２２３      第２副歯車ブロック
２３        第１リングギヤ
２３１      内歯部
２３２      遠位歯
２４        第２リングギヤ
２４１      内歯部
２４２      遠位歯
２５        可逆レバー
２５１      貫通孔
２５２      第１収容孔
２５３      第２収容孔
２６        主係止組
２６１      係止具
２６２      弾性具
２７        第１係止組
２７１      係止具
２７２      弾性具
２８        第２係止組
２８１      係止具
２８２      弾性具
３０        動力装置
３１        モータ
３１１      心軸
３１１１    第１軸区間
３１１２    第２軸区間
３２        電源
３３        制御ボタン
４０        伝動装置
４１        駆動ロッド
４１１      伝動部
４１２      接続部
４１３      肩部
４１４      端部
４２        傘歯車
４３        第１弾性具
４４        第１鋼球組
４４１      鋼球
４５        第１ワッシャ
４６        第２弾性具
４７        第２ワッシャ
４８        第２鋼球組
４８１      鋼球
Ｌ１        第１軸線
Ｌ２        第２軸線
Ｄ１        第１内径
Ｄ２        第２内径
Ｈ１        第１外径
Ｈ２        第２外径
α          第１夾角
β          第２夾角
Ａ１        第１軸径
Ａ２        第２軸径
【図１】
0003198345.tif 000003
【図２】
0003198345.tif 000004
【図３】
0003198345.tif 000005
【図４】
0003198345.tif 000006
【図５】
0003198345.tif 000007
【図６】
0003198345.tif 000008
【図７】
0003198345.tif 000009
【図８】
0003198345.tif 000010
【図９】
0003198345.tif 000011
【図１０】
0003198345.tif 000012
【図１１】
0003198345.tif 000013
【図１２】
0003198345.tif 000014
【図１３】
0003198345.tif 000015
【図１４】
0003198345.tif 000016
【手続補正書】
【提出日】平成27年4月17日(2015.4.17)
【手続補正１】
【補正対象書類名】実用新案登録請求の範囲
【補正対象項目名】全文
【補正方法】変更
【補正の内容】
【実用新案登録請求の範囲】
【請求項１】
本体と、爪車装置と、動力装置と、伝動装置と、を備えた電動ソケットラチェットレンチであって、
本体は第１端と、前記第１端と距離を置く第２端を含む、前記本体が前記第１端の付近側の内壁面に歯部を繞設、
爪車装置を前記本体に取り付けていて、かつ爪車部材と、前記爪車部材に枢設するラチェットブロック組と、回転自在にて前記爪車部材に装着する第１リングギヤと、第２リングギヤと、前記爪車部材に挿入する可逆レバーを含む、前記ラチェットブロック組を前記第１リングギヤと前記第２リングギヤとの間に設け、２つの主歯車ブロックと、一つの第１副歯車ブロックと、第２副歯車ブロックを含む、前記２つの主歯車ブロックを前記爪車部材に枢設していて、かつ前記２つの主歯車ブロックがそれぞれ選択により、前記本体の歯部と噛み合わせ、前記第１リングギヤと、前記第２リングギヤがそれぞれ前記爪車部材の時計方向または逆時計方向に対して回転され、前記第１リングギヤと、前記第２リングギヤはそれぞれに内歯部と互いに対向する遠位歯を含む、前記第１リングギヤの前記内歯部が選択により、前記第１副歯車ブロック噛み合わせ、前記第２リングギヤの前記内歯部が選択により、前記第２副歯車ブロックと噛み合わせ、前記可逆レバーが前記爪車部材に対して回転することによって、前記第１副歯車ブロックと、前記第２副歯車ブロックがそれぞれ選択により、前記第１リングギヤまたは前記第２リングギヤ噛み合わせと方向切り換え機能を形成し、前記爪車部材が前記第２リングギヤの付近端をソケットとの接続に用いられ、
前記動力装置を前記本体に収容していて、かつモータと、電源を含む、前記モータは心棒を有しており、前記電源と前記モータが電気導通することによって、前記心棒を回転させることができ、
前記伝動装置は駆動ロッドと、傘歯車と、第１弾性具を含む、前記駆動ロッドを回転自在にて前記本体に取り付けていて、かつ前記モータの前記心棒に接続されており、前記駆動ロッドが前記モータの反対端に伝動部を有しており、前記傘歯車は移動自在にて前記駆動ロッドの前記伝動部に嵌着し、選択により第１リングギヤと前記第２リングギヤの前記遠位歯に噛み合わせるかまたは引き離し、第１弾性具を前記駆動ロッドの伝動部に装着され、
前記傘歯車が前記第１リングギヤと、前記第２リングギヤの前記遠位歯と噛み合わせるときに、前記モータの前記心棒が前記駆動ロッドと前記傘歯車を駆動して回転させ、前記傘歯車がそれぞれ前記第１リングギヤと前記第２リングギヤを連動し前記爪車部材の時計方向または逆時計方向に対して回転すると共に、前記２つの主歯車ブロックと前記第１副歯車ブロックまたは前記第２副歯車ブロックそのうちのいずれかが前記爪車部材を駆動回転し、ソケットを駆動し回転させ、
前記ソケットを駆動するときに抵抗があまり大きい場合は、前記傘歯車が前記駆動ロッドの伝動部に対してスリップして、前記第１リングギヤと、前記第２リングギヤの前記遠位歯を引き離すと共に、弾性具を圧迫され、このときは手動で前記本体を回すことによって、前記傘歯車が前記駆動ロッドの前記伝動部に対して滑り移動し、再び前記第１リングギヤと前記第２リングギヤの前記遠位歯に噛み合わせてソケットを駆動することができることを特徴とする、電動ソケットラチェットレンチ。
【請求項２】
前記本体は接続孔を含む、前記接続孔が第１軸線に沿って、第１接続区間と、第２接続区間と、第３接続区間と距離を確保され、前記第１接続区間が前記第１軸線の径方向に沿って第１内径を有し、前記第２接続区間が前記第１軸線の径方向に沿って第２内径を有し、前記第２内径が前記第１内径より小さい、前記第３接続区間の異なる両端が前記第１軸線に沿って、それぞれ前記第１接続区間と前記第２接続区間に連絡され、前記第３接続区間の内壁面と前記第１接続区間の内壁面との間に第１夾角を形成し、前記第１夾角が１２０度であり、
前記伝動装置の前記駆動ロッドが回転自在に前記接続孔に収容していて、かつ接続部と、肩部を含む、前記肩部の異なる両端が前記第１軸線に沿って、それぞれ前記伝動部と前記接続部に接続し、前記第１弾性具を前記肩部と前記傘歯車との間に当接し、前記接続部が前記第１軸線の径方向に沿って、第１外径を有し、前記肩部が前記第１軸線の径方向に沿って、第２外径を有し、前記第２外径が前記第１外径より小さい、前記接続部が前記肩部の付近端が前記肩部の前記外壁面との間に第２夾角を形成し、前記第２夾角が１２０度であることを特徴とする、請求項１記載の電動ソケットラチェットレンチ。
【請求項３】
前記伝動装置は第１鋼球組をさらに含む、前記第１鋼球組は複数の鋼球を含まれていて、かつ前記第１軸線の円周方向に沿って、前記接続孔の前記第３接続区間及び前記駆動ロッドの前記接続部と前記肩部との間に繞設することを特徴とする、請求項２記載の電動ソケットラチェットレンチ。
【請求項４】
前記モータの前記心棒が前記第１軸線に沿って、第１軸区間と、前記第１軸区間に接続する第２軸区間と距離を確保され、前記第１軸区間が前記第１軸線の径方向に沿って、第１軸径を有し、かつ前記第１軸線に垂直する方向に沿って、円形の横断面を有し、前記第２軸区間が前記第１軸線の径方向に沿って、第２軸径を有し、かつ該前記第１軸線に垂直する方向に沿って、半円形の横断面を有し、前記第２軸径が前記第１軸径より小さい、
前記伝動装置は第１ワッシャと、第２弾性具と、第２ワッシャと、第２鋼球組を含む、前記第１ワッシャは前記心棒の前記第２軸区間に合わせた半円孔を有し、前記第２ワッシャ半円孔を有し、前記第１ワッシャと、前記第２弾性具と、前記第２ワッシャが順を追って、前記心棒の前記第２軸区間に装着され、前記第１ワッシャの一側を前記第１軸区間に当接し、前記第２弾性具が前記第１軸線の異なる両端に沿って、それぞれ前記第１ワッシャが前記第１軸区間と異なる側と、前記第２ワッシャが前記第２鋼球組と異なる側に当接され、
前記駆動ロッドは前記伝動部の反対端に端部を有し、前記端部の一端が前記第１軸線に沿って前記接続部に接続し、前記端部のもう一端が接続前記モータの前記心棒の前記第２軸区間に接続し、前記第２鋼球組は前記複数の鋼球を含む、かつ前記第１軸線の円周方向に沿って、前記駆動ロッドの前記端部と前記接続部及び、前記第２ワッシャと前記接続孔の前記第１接続区間の前記内壁面との間に繞設することを特徴とする、請求項３記載の電動ソケットラチェットレンチ。
【請求項５】
前記第１弾性具と前記第２弾性具はコイルばねであり、かつ前記第２弾性具の剛性係数が前記第１弾性具の剛性係数より大きいことを特徴とする、請求項４記載の電動ソケットラチェットレンチ。
【請求項６】
前記本体はヘッド部と、使用者の握りに用いるグリップ部と、延在部を含む、前記ヘッド部が前記第１端の付近部に位置し、前記グリップ部が前記第２端の付近部に位置し、前記延在部が前記第１軸線と異なる両端に沿って、それぞれ前記ヘッド部と前記グリップ部に接続し、間欠運動孔と、伝動溝を前記ヘッド部に形成し、前記間欠運動孔の内壁面に前記歯部を形成していて、かつ前記伝動溝に連絡され、収容溝を前記グリップ部に形成していて、かつ、前記動力装置を収容し、前記接続孔を前記延在部に形成し、前記延在部が前記第１軸線方向に垂直する方向に沿って、矩形横断面を有しており、前記矩形横断面を設けることによって、フラットハンドルの構造を実現し、径方向に力を加わる場合は、フラットハンドルがレンチの丸ハンドル構造より強いことを特徴とする、請求項２ないし５のいずれかに記載の電動ソケットラチェットレンチ。
【請求項７】
前記伝動溝は前記ヘッド部に形成される三日月溝であり、前記伝動溝の異なる両端が前記第１軸線に垂直する方向に沿って、密閉状を形成することを特徴とする、請求項６に記載の電動ソケットラチェットレンチ。
【請求項８】
前記本体は、つかみ部が前記第１軸線の径方向に沿って、とおり孔を設け、前記とおり孔と、前記収容溝が連絡され、前記動力装置は制御ボタンを有し、前記制御ボタンを前記本体の前記とおり孔に設けていて、かつ前記モータと電気導通することによって、前記モータを制御することを特徴とする、請求項６に記載の電動ソケットラチェットレンチ。
【請求項９】
前記モータは一方向モータであり、前記心棒を前記第１軸線に沿って回転し、前記爪車装置が前記第１軸線に垂直する第２軸線に沿って回転自在に前記本体に設け、前記第１リングギヤと前記第１副歯車ブロックが前記第２軸線に沿って、同じ水平位置に位置していて、かつ前記第２軸線に沿って、前記爪車部材に対して時計方向または逆時計方向に回転することができ、前記２つの主歯車ブロックが前記第２軸線に沿って、同じ水平位置に位置し、前記第２リングギヤと前記第２副歯車ブロックが前記第２軸線に沿って同じ水平位置に位置し、前記第１副歯車ブロックと前記第２副歯車ブロックが前記第２軸線の径方向に沿って、前記爪車部材の反対の両側に設けていて、かつ前記第２軸線が異なる水平位置に位置することを特徴とする、請求項２ないし５のいずれかに記載の電動ソケットラチェットレンチ。
【請求項１０】
前記可逆レバーに貫通孔と、第１収容孔と、第２収容孔を含む、前記貫通孔が前記第２軸線の径方向の異なる両側に沿って、前記可逆レバーを貫き、前記第１収容孔と前記第２収容孔をそれぞれ前記可逆レバーが前記第２軸線の径方向の異なる両側に沿って位置し、前記爪車装置は主係止組と、第１係止組と、第２係止組を含む、前記主係止組を前記可逆レバーの前記貫通孔に設けていて、かつ２つの係止具と、一つの弾性具を含む、前記主係止組に備える前記２つの係止具をそれぞれ前記ラチェットブロック組に備える２つの主歯車ブロックに係止し、前記主係止組の前記弾性具を前記該主係止組に備える前記２つの係止具との間に当接し、前記第１係止組を前記可逆レバーの前記第１収容孔に設けていて、かつ係止具と、弾性具を含む、前記第１係止組の前記係止具の一端を前記ラチェットブロック組の前記第１副歯車ブロックに係止し、前記第１係止組の前記係止具のもう一端を前記第１係止組の弾性具に係止し、前記第２係止組を前記可逆レバーの第２収容孔に設けていて、かつ前記係止具と前記弾性具を含む、前記第２係止組の前記係止具の一端を前記ラチェットブロック組の前記第２副歯車ブロックに係止し、前記第２係止組の前記係止具のもう一端を前記第２係止組の前記弾性具に係止することを特徴とする、請求項９に記載の電動ソケットラチェットレンチ。